【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
通信の方法であって、
無計画アクセスポイントと関連するアクセス端末との間の呼中に、前記無計画アクセスポイントのために前記関連するアクセス端末へのオーバーヘッドチャネルの最適化低減電力レベルを決定することと、
前記無計画アクセスポイントから前記関連するアクセス端末へ、前記オーバーヘッドチャネルを前記最適化低減電力レベルで送信することと、
を備え、
前記オーバーヘッドチャネルの最適化低減電力レベルは、少なくとも適切な信号品質を維持している間、前記オーバーヘッドチャネルの電力レベルとトラフィックチャネルの電力レベルとの和を最小化することにより決定される、方法。
【請求項２】
前記オーバーヘッドチャネルに関連付けられたトラフィックチャネルの電力レベルへの調整を指示する順方向リンク電力制御を実行することをさらに備える、請求項１に記載の方法。
【請求項３】
適切な誤り率が決定されるまで、前記トラフィックチャネルの前記電力レベルを調整することをさらに備える、請求項２に記載の方法。
【請求項４】
前記オーバーヘッドチャネルの前記電力レベルに関する前記トラフィックチャネルの前記電力レベルの、トラフィック対オーバーヘッドチャネル比を決定することをさらに備える、請求項３に記載の方法。
【請求項５】
前記オーバーヘッドチャネルは、パイロットチャネル、同期チャネル、及びブロードキャスト／ページングチャネル、のうちの一つである、請求項１に記載の方法。
【請求項６】
それぞれ複数の関連するアクセス端末との前記無計画アクセスポイントからの前記複数の呼のそれぞれの各オーバーヘッドチャネルのための最適化低減電力レベルを決定することを繰り返すことと、
前記複数の呼から全最適化低減電力レベルを決定することと、
をさらに備える、請求項１に記載の方法。
【請求項７】
通信のための装置であって、
無計画アクセスポイントと関連するアクセス端末との間の呼中に、前記無計画アクセスポイントのために前記関連するアクセス端末へのオーバーヘッドチャネルの最適化低減電力レベルを決定するように構成された干渉コントローラと、
前記無計画アクセスポイントから前記関連するアクセス端末へ、前記オーバーヘッドチャネルを前記最適化低減電力レベルで送信するように構成された通信コントローラと、
を備え、
前記オーバーヘッドチャネルの最適化低減電力レベルは、少なくとも適切な信号品質を維持している間、前記オーバーヘッドチャネルの電力レベルとトラフィックチャネルの電力レベルとの和を最小化することにより決定される、装置。
【請求項８】
前記通信コントローラは、前記オーバーヘッドチャネルに関連付けられたトラフィックチャネルの電力レベルへの調整を指示する順方向リンク電力制御信号を受信するようにさらに構成される、請求項７に記載の装置。
【請求項９】
前記通信コントローラは、適切な誤り率が決定されるまで、前記トラフィックチャネルの前記電力レベルを調整するようにさらに構成される、請求項８に記載の装置。
【請求項１０】
前記通信コントローラは、前記オーバーヘッドチャネルの前記電力レベルに関する前記トラフィックチャネルの前記電力レベルの、トラフィック対オーバーヘッドチャネル比を決定するようにさらに構成される、請求項９に記載の装置。
【請求項１１】
前記オーバーヘッドチャネルは、パイロットチャネル、同期チャネル、及びブロードキャスト／ページングチャネル、のうちの一つである、請求項７に記載の装置。
【請求項１２】
前記干渉コントローラは、それぞれ複数の関連するアクセス端末との前記無計画アクセスポイントからの前記複数の呼のそれぞれの各オーバーヘッドチャネルのための最適化低減電力レベルを決定することを繰り返し、前記複数の呼から全最適化低減電力レベルを決定するようにさらに構成される、請求項７に記載の装置。
【請求項１３】
通信のための装置であって、
無計画アクセスポイントと関連するアクセス端末との間の呼中に、前記無計画アクセスポイントのために前記関連するアクセス端末へのオーバーヘッドチャネルの最適化低減電力レベルを決定するための手段と、
前記無計画アクセスポイントから前記関連するアクセス端末へ、前記オーバーヘッドチャネルを前記最適化低減電力レベルで送信するための手段と、
を備え、
前記オーバーヘッドチャネルの最適化低減電力レベルは、少なくとも適切な信号品質を維持している間、前記オーバーヘッドチャネルの電力レベルとトラフィックチャネルの電力レベルとの和を最小化することにより決定される、装置。
【請求項１４】
前記オーバーヘッドチャネルに関連付けられたトラフィックチャネルの電力レベルへの調整を指示する順方向リンク電力制御信号を受信するための手段をさらに備える、請求項１３に記載の装置。
【請求項１５】
適切な誤り率が決定されるまで、前記トラフィックチャネルの前記電力レベルを調整するための手段をさらに備える、請求項１４に記載の装置。
【請求項１６】
前記オーバーヘッドチャネルの前記電力レベルに関する前記トラフィックチャネルの前記電力レベルの、トラフィック対オーバーヘッドチャネル比を決定するための手段をさらに備える、請求項１３に記載の装置。
【請求項１７】
前記オーバーヘッドチャネルは、パイロットチャネル、同期チャネル、及びブロードキャスト／ページングチャネル、のうちの一つである、請求項１３に記載の装置。
【請求項１８】
それぞれ複数の関連するアクセス端末との前記無計画アクセスポイントからの前記複数の呼のそれぞれの各オーバーヘッドチャネルのための最適化低減電力レベルを決定することを繰り返すための手段と、
前記複数の呼から全最適化低減電力レベルを決定するための手段と、
をさらに備える、請求項１３に記載の装置。
【請求項１９】
コンピュータ可読記憶媒体であって、
無計画アクセスポイントと関連するアクセス端末との間の呼中に、前記無計画アクセスポイントのために前記関連するアクセス端末へのオーバーヘッドチャネルの最適化低減電力レベルを決定することと、
前記無計画アクセスポイントから前記関連するアクセス端末へ、前記オーバーヘッドチャネルを前記最適化低減電力レベルで送信することと、
をコンピュータに行わせるためのコードを備え、
前記オーバーヘッドチャネルの最適化低減電力レベルは、少なくとも適切な信号品質を維持している間、前記オーバーヘッドチャネルの電力レベルとトラフィックチャネルの電力レベルとの和を最小化することにより決定される、コンピュータ可読記憶媒体。
【請求項２０】
前記コンピュータに、前記オーバーヘッドチャネルに関連付けられたトラフィックチャネルの電力レベルへの調整を指示する順方向リンク電力制御信号を受信することを行わせるためのコードをさらに備える、請求項１９に記載のコンピュータ可読記憶媒体。
【請求項２１】
前記コンピュータに、適切な誤り率が決定されるまで、前記トラフィックチャネルの前記電力レベルを調整することを行わせるためのコードをさらに備える、請求項２０に記載のコンピュータ可読記憶媒体。
【請求項２２】
前記コンピュータに、前記オーバーヘッドチャネルの前記電力レベルに関する前記トラフィックチャネルの前記電力レベルの、トラフィック対オーバーヘッドチャネル比を決定することを行わせるためのコードをさらに備える、請求項２１に記載のコンピュータ可読記憶媒体。
【請求項２３】
前記オーバーヘッドチャネルは、パイロットチャネル、同期チャネル、及びブロードキャスト／ページングチャネル、のうちの一つである、請求項１９に記載のコンピュータ可読記憶媒体。
【請求項２４】
前記コンピュータに、
それぞれ複数の関連するアクセス端末との前記無計画アクセスポイントからの前記複数の呼のそれぞれの各オーバーヘッドチャネルのための最適化低減電力レベルを決定することを繰り返すことと、
前記複数の呼から全最適化低減電力レベルを決定することと、
を行わせるためのコードをさらに備える、請求項１９に記載のコンピュータ可読記憶媒体。